(57)【要約】      （修正有）【課題】風がなくても、水が減ってもくるくる回り、好きなときに好きなだけ発電できる空気モーターを提供する。【解決手段】  人体の血液と心臓、及び冠動脈に匹適する機械装置を作ることで解決できる。それは、エヤーポンプを心臓にし、冠動脈を圧力室にそして血液をシリンダーに送る給路にし、使用空気は２種のタンクにため、２〜３年は捨てないで使うことのできるものにする。又、超小型エヤーポンプをタンク内に他の設備と共に配設し、エアーシリンダーで増幅し、ポンプ入力の３００００倍出力のだせる７角、５角、３角のエヤーモーターを造りあげる。【選択図】図１
2009167798.tif 000002
【特許請求の範囲】
【請求項１】
垂直軸を中心に上下２段のエヤータンク及び別にゴム風船に近いプラダ型アキユムレーターを配設し、下段タンクに、フライホイル兼ギヤ群、増速装置、及び発電機又はエンジン関係部材を入れ、約３ｋｇ／ｃｍ２の圧力を保持し、上段タンクは約１．５ｋｇ／ｃｍ２の中に、小型エヤーポンプクラツチ付、磁石ローター、ローターカム、ロータリーバルブ、カム付３方弁、主シリンダー、くび振りアーム、カム、アーム、従シリンダー、及び偏芯ローラー等を入れ、さらに小型エヤーポンプの回転を低速（約６０ＲＰＭ）にするギヤーを入れ、軸に伝達する。そして７型は主シリンダー７ケ、従シリンダー７ケ、偏芯ローラは３ケとし、５型は、５ケ、５ケ、２ケ。３型は３ケ、３ケ、１ケ構成とし、用途別に選定し、ローラーを押す荷重、及び回転数をかえることができるが、３型の小型に於ける回転出力は、トルク表示でエヤーポンプの約３００００倍以上を確保可能な使用空気を１切外部に捨てることのない、補充エヤーポンプ付、圧力センサー付、増圧減圧弁付、バッテリー付、電気制御機付、電気ＯＮ  ＯＦＦスイッチ付、エヤー操作バルブ外部付、電圧変更インバーター外部付の全てを配設した発電装置及びエンジンに使用できる７・５・３型増幅エヤーモーター。
【請求項２】
主シリンダーの力を第２シリンダーに加えるためのアーム軸位置を第２シリンダーに近づけピストン力を約３０％プラスできることを特長とする請求項１の７・５・３型増幅モーター。
【請求項３】
エヤーポンプの軸心にクラッチを設け、本体上部の軸（３）から入力される外部のエネルギーを伝達する構成とした請求項１の７・５・３増幅エヤーモーター。例えば、風力羽根車の回転力、水力水車、他のモーター。及び他のエンジン。
【発明の詳細な説明】
【技術分野】
【０００１】  本発明は、地球上の空気、水及び磁力と極小量の電気を使い大出力発電、原発の代りとなる発電、及び電車、船などの産業に関する。
【背景技術】
【０００２】  従来の風力発電は、風のないときは発電しない。又水力発電は水の流れが、とまると発電しなくなる。そして電車は停電すると動けなくなる。小量の入力で大出力のでる自分のエヤーモーターで発電したり、車、船などを動かす装置の開発を行うため、空気、水、磁力などの総合力をエヤーモーターに集める。
【発明の開示】
【発明が解決しようとする課題】
【０００３】  本発明は、このような従来の構成が有していた問題を解決しようとするものであり、風がなくなっても、水の流れが変っても、安定発電でき風が強く水
2009167798.tif 000003
電装置。又、外部からの送電がなくても自分のエンジンで走り、発電も可能な電車。さらには石油エンジン付きの船舶。その他多くの回転力を必要とする機具機械を、空気と磁気力の総合力で動く装置の開発に寄与できるものの１つとして目的を達成した。
【課題を解決するための手段】
【０００４】  そして、本発明は、上記目的を達成するために次の手段をとる。
１、エヤーシリンダーに供給する圧力エヤーは、捨てないで再利用できる構造とする。それは、人の体と同じく、全身に血液を送るポンプの役割りをする心臓、冠動脈、末梢血管は、各々ロータリーバルブ、配管、反発利用のバルブ及び圧力の異るタンク２ケを配設し、夫々のタンク内に機械を納める。すなわち、磁石ローター、超小型エヤーポンプ、メインロータリーバルブ、２次バルブ主シリンダー、シリンダー、及び偏芯ローラーをα室タンク（低圧）内に配設する。
２、Ｂ室（α室の約２倍）内に、フライホイル付増速ギヤー群、プラダ型アキユムレーター、発電機、小型電池、制御センサー機器類を設け、α、β室中間に、減、増圧弁を配設する。
３、エヤーポンプはクラツ付にし、外部の回転力（風力、水力その他）がポンプの回転力が上回る場合にはその儘受入れ可能にし、ポンプの圧力空気は３ｋｇ／ｃｍ２以下、回転速さは、ギヤーで６０ＲＰＭを標準とする。
４、本発明の７・５・３角モーターの使い分けは、使途に応じるが本説明では３角（主シリンダー３ケ、偏芯ローラー１ケ）のみとする。【０００５】  そして、上記４項目の作用は、図の説明と同時とする。
【発明の効果】
【０００６】  図１は、３角型モーターの上段α室外皮管（α）の上に、上ふた（１）の内にメカニカルシール（２）を設け、軸（３）と上ふた間のエヤー洩れを防止し、フラフープ状の遠心力増大偏芯磁石ローターの上磁石（イ）、及び下磁石（ロ）を並べ、下磁石上下用カム（Ａ）を回すと、上も回り、回転の補助とする。軸（３）は外部の回転力（風水力羽の回転など含む）用である。【０００７】  磁石ローターの下に、８本の柱（４）に支えられた板に極少クラツチ付エヤーポンプ（５）の軸回転を約６０ＲＰＭに減速するギヤー（６）を設け、圧力空気を放出しながら中間軸（７）を回し、ローターバルブ（８）からでるエヤーをノズル１（９）から主シリンダー（１０）に入れ、くび振りカム（Ｃ）、くび振りリング、（１１）、くび振りアーム（１２）で位置決めした分配棒（１３）で、中軸（１５）に支えられたアーム（１４）が作動するとアーム受け（１６）は、第２シリンダーピストン（１７）と共に偏芯ローラー（１８）を強く押し回転する。くび振りアームは、３ケのシリンダー（１０＋１７）の合計力が働くようにするもので、ローラが回ると直ちにエヤ切替えを３方弁（１９）で行い、そのためのカム（Ｂ）は主シリンダー（１０）内の排気エヤーで第２シリンダーを戻し、くび振りアームは、バネ（２０）で戻る。【０００８】
2009167798.tif 000004
３０としβ室圧力３ｋｇ／ｃｍでは、１１７ｋｇ＋９．５ｋｇ＝１２６ｋｇとなり、さらにアームの支点差の加算をみると押付荷重は、約１８５ｋｇとなる。そこでローラーの偏芯量１６ｍｍφ４０としてのトルクは、１１５ｋｇ−ｃｍとなり、高出力のエヤーモーターとして広い用途があり、α室内圧力１．５ｋｇ、β室３ｋｇ、エヤーポンプは、入力用として、３Ｖ、トルクは０．００４ｋｇ−ｃｍ、バッテリーは常に充電用１２Ｖで可のため、トルクは、２８０００倍を得る。それは初動後、フライホイルの助力をプラスすると、さらにｕｐできる。【０００９】  圧力エヤーを捨てることなく、人の血液のように循環させ、各々のタンク室内の圧力コントロールは、センサ制御によるが、本装置とは別の箱に操作スイッチなどを含むものにし、空圧出入手動弁、エヤーポンプへの電気スイッチ、及び発電機入れの場合の電線とインバーター等を配設する。【００１０】  β室には、中板（２１）で仕切り、約６０ＲＰＭで回っている軸（７）の下部に円板（２２）に回転を伝達し、遊星歯車兼フライホイル（２３）をギヤー群（２４）を回し、下軸（２５）で発電機などに接続するもので重量大のフライホイルを受けるギヤー受軸受（２６）でスラスト荷重受として４ケ配設したが、本発明のモーターは静かに回ることを特長としたいため、アームとピストンとの接触部、偏芯ローラーの外周、スラスト軸受などには、特殊ゴムを付した。（吸音ゴム）【００１１】  図２は、上記構成の平面を示すもので、半断面のため補説明する。
主ピストン（３０）の先端に設けた分配棒（１３）は２本シリンダーが同時に
2009167798.tif 000005
【００１２】  図３は、上記３角モーターを５角、７角にした場合の平面を示すもので、３角では１ケであった偏芯ローラーが５角では２ケ、７角では３ケに追加されるため、小寸法で更に高回転、高出力用とし有用である。【００１３】  図４は、磁石ロータをＡ−Ａ′矢視したもので、上下段磁石配置を示すも
2009167798.tif 000006
回転は助ける。又、フラフープ動作のため遠心力フライホイル効果が高い。【００１４】  図５は、垂直軸小型風力発電装置の羽根車の中に、風がなくてもくるくる回り、簡単構造で都心のベランダの外側に取付け可能なものとした３角型エヤーモーター入り本発明の応用例である。従来のものは、風のない地域では、発電は９７％不可能であったが、安定電気を自分で造るため、電力会社でも売電に理解を受けると確信している。【００１５】  図６は、下水道、放水路、及び海などに浮かせ、水上で発電する装置である。５角型エヤーモーターを搭載する前は、全長５ｍの舟ブイで３ｋｗの発電よりできなか
2009167798.tif 000007
となり、長さも５ｍを３ｍにできた。又、夜の電気を捨てないで水の電気分解により、水素を造り、電気と共に販売できる。
テロと地震に弱いと云われる原発をやめ得る代替発電として利用するよう開発を進め、市内の電気は、自市内の水の流れで賄える体制を進めたい。【００１６】  以上、人の心臓、血流、冠動脈などの真似をした本発明の効果は上記の不足分を列記する。
１、）使用済エヤーは、反発力として再利用し、ポンプ（心臓）は２種のタンク冠動脈で充分に守り、コストｕｐを防ぐことができる。
２）構造が馬鹿みたいに簡潔で、部品点数が少ないため安くできる。
３）石油、ガスその他、輸入に頼ることのない空気のため省資源化ができる。
４）末梢血管へ流れる血のようにエヤーの流体供給路の研究をすると尚高能率の期待ができる。
５）本発明のモーターを発電、電車及び船舶など以外の例えば自動車、車椅子など多くに応用ができるものと考える。
【産業上の利用可能性】
【００１７】  上述の通り、本発明の７・５・３型増幅モーターは、発電産業の他多くの産業に利用可能である。
【図面の簡単な説明】
【００１８】
【図１】
2009167798.tif 000008
【図２】本発明の３型増幅エヤーモーターの平面半Ｄ−Ｄ′．Ｃ−Ｃ′矢視図
【図３】本発明の７・５型増幅エヤーモーターのシリンダーとローラーの平面配置図である
【図４】本発明の磁石ローターの平面Ａ−Ａ′、Ｂ−Ｂ′矢視図
【図５】本発明の３型増幅エヤーモーターを垂直軸風力発電に搭載例の正面図。
【図６】本発明の５型増幅エヤーモーターをキャタビラー水車付の水力発電に搭載例の側面図。
【符号の説明】
イ、ロ、磁石ローター用磁石              α、エアー低圧々力タンク
β、エアー中圧々力タンク                Ａ、磁石ローター用カム
Ｂ、３方弁用カム                        Ｃ、くび振りアーム用カム
１、上ふた                              ２、メカニカルシール
３、上軸                                ４、柱
５、クラッチ付ミニエアーポンプ          ６、減速ギヤ
７、中軸                                ８、ローターバルブ
９、エヤーノズル                        １０、主シリンダー
１１、くび振りアームリング              １２、くび振りアーム
１３、分配棒                            １４、アーム
１５、アーム軸                          １６、アーム受け
１７、第２シリンダーピストン            １８、偏芯ローラー
１９、３方弁                            ２０、バネ
２１、中板                              ２２、円板
２３、遊星歯車                          ２４、ギヤー群
２５、下軸                              ２６、ギヤー受軸受
２７、バッテリー電線                    ２８、配管
２９、発電気線                          ３０、主ピストン
【図１】
2009167798.tif 000009
【図２】
2009167798.tif 000010
【図３】
2009167798.tif 000011
【図４】
2009167798.tif 000012
【図５】
2009167798.tif 000013
【図６】
2009167798.tif 000014
【手続補正書】
【提出日】平成18年11月21日(2006.11.21)
【手続補正１】
【補正対象書類名】特許請求の範囲
【補正対象項目名】全文
【補正方法】変更
【補正の内容】
【特許請求の範囲】
【請求項１】
主として垂直軸タイプのモーターの場合、上下の２段積み重ね型のエヤータンク２ヶの他に、別置き、プラダ型アキユムレーター等、蓄圧機を配設し、エヤー圧力約３ｋｇ／ｃｍ２の下段エヤータンク内にフライホイル兼増速ギヤー郡増速装置及び、発電機又は、エンジン部材を入れ、エヤー圧力約１．５ｋｇ／ｃｍ２の上段タンク内に、磁石ローター、水力発電の場合は、ゆっくりした水の流れをキャタビラー水車に受けた回転力をエヤーコンプレッサー軸に接続可能な部材、又は、風のないときでもくるくる回すための超小型電気エヤーコンプレッサー等、少量の圧縮空気を製造する装置。ロータリーエヤー分配弁。複数のエヤーシリンダー。カム、アームクラッチ、カム３方弁、偏芯ローラー、ギヤー郡、及び、減圧弁、増圧弁、圧力センサーなどを配設し、エヤーコンプレッサーで得た圧縮空気を下段タンクに貯めておく兼回転動作をロータリーバルブに減速直結（約６０ＲＰＭ）し、バルブからシリンダーに流れるエヤー力で２ヶのピストン、アーム及び中心シリンダーピストン１ヶの合計３ヶのピストン力を中央の偏芯ローラーに当て回転力に変え、次に軸の回転を下段タンク内のフライホイル兼増速ギヤー郡で約１０倍以上に増速し、発電機又はエンジン軸に接続して、大出力発電及び、エンジンの駆動源として使用する７．５．３角型の増幅モーターでその力はシリンダー寸法により異なるが入力エヤーポンプ出力の約３００００倍以上のトルク値を得る。３角型の場合は、主シリンダー３ヶ、従シリンダー（中心シリンダー）３ヶの合計６ヶのシリンダーを配設し、常に３ヶの力を伝達し、５角、７角型は、力及びストローク（大きさ）により選択する。又は、使用済みエヤーは上段タンクに排気し、増圧の上、下段に送り、常に下段タンク圧を保持し、シール部よりのエヤー洩れ補充エヤーの役割を上記エヤーコンプレッサーで賄うことができ、異常発生時対策のみ、外部のアキュムレーターが役目する。そして発電装置に搭載の場合、風力発電では、バッテリー及び、インバーターを別置するが水の場合その必要はなく、共通用として圧力センサー、電気スイッチ、電気制御機器、電圧変電インバーターなど諸機を外設する。
【請求項２】
中心の偏芯ローラーを押す力を増大し、トルク値を３．３倍以上にするためのシリンダー間のアーム支点距離を全長の約１／３にした請求項１の多角型増幅モーター。
【請求項３】
水、風発電に使用の場合、台風、洪水、地震などの天災により、水、キャタピラー、及び風羽根車の回転が大きく変動しても安定出力保持のためエヤーコンプレッサー軸に７クラッチを設けた請求項１の多角型増幅モーター。
【請求項４】
ビル、工場、商店及び、住宅などに於いて使い捨てで使用される洗浄用水、風呂水、調理水及び、トイレ水などの蛇口の配管の奥、配管途中に水の流れで回るタービンと直結で回るエヤーポンプを配設し、どの蛇口でも水を使い捨てる都度得ることのできる、低圧圧縮空気（０．７５〜１ｋｇ／ｃｍ２）を水タービンの回転力（約６０ＲＰＭ）を伝達したロータリーバルブにより各シリンダーに分配し、ピストン作動力で請求項１の増幅モーターとして回転力を得る。又、水を直接ロータリーバルブに送る方法も行う。
本型式は、大量使用水圧力水（１．５〜２ｋｇ／ｃｍ２）のある事業所、住宅などに適し電気のエネルギーのエヤーポンプ回転式の何らか有利な構成を選択できることを特長とする水と空気エネルギー利用タイプ。圧力が豊富で電気のない地域には好都合。
【請求項５】
本発明の水上発電に於いて、雨、水の浸入防止タイプは上部の空気をファンにて内部に送り、甲板と舟ブイ本体の隙間から、排泄し、舟ブイ内部の諸機械（多角型増幅モーター、発電機及び、その他設備）の温度昇音防止装置付の請求項１の多角型増幅モーター。
【手続補正書】
【提出日】平成19年6月28日(2007.6.28)
【手続補正１】
【補正対象書類名】特許請求の範囲
【補正対象項目名】全文
【補正方法】変更
【補正の内容】
【特許請求の範囲】
【請求項１】
別に外置きの低電圧１２ボルトバッテリー電源などを用い、小型１２Ｖ、１５Ｗ、１２００ＲＰＭ程度でセンサー作動補充流体供給兼用のモーター付流体ポンプで長時間（２４時間以内）かけて造った１．５ｋｇ〜２．５ｋｇ／ｃｍ２の圧縮流体を更に〔図２２〕の通りテフロンボール２ヶ入り渦巻シリコンチューブに流量調整弁、圧力調整弁経由ドーナツ型安全弁付ゴムタンク（α）に貯え、シリコンチューブの反対側に、シリコン油又は、水などにテフロンなどの微粒子入り液体用ドーナツ型タンク（α１）に接続する。上記ポンプモーターとは別にαタンク圧センサー信号で動作する小型１２Ｖ１５Ｗ４０ＲＰＭ程度の上軸回転用モーターを設け、連結軸の回転で上部のロータリーバルブ及び、メカニカルバルブ用カムの作動で、圧気体を圧液体に変え、複数中の１／２ヶのシリンダーに順次注液し、ヘットにローラー付ピストンでアーム又は、プロペラを押し遠心力フライホイル付きのインターナルギヤーローラー全ヶを同時に押し、交互動作で若干の脈動をフライホイルで助け、約４０ＲＰＭを増速ギヤー群で約１２００ＲＰＭで下軸を回し、更にゼネレーターの遠心力フライホイル付ローターの回転力で大出力発電する。１２Ｖバッテリーの充電は、外置きの充電器に生産済電力で常に行い、ピストン作動後の戻り流体は、シリンダーから逆止弁、ダイヤフラム型チャンバー付きドーナツ型タンク（β１）に戻され、後にタンクα１に充填され、量不足が出るとタンク（β１）から供給される。流体は、使用後も全て排出しないで、全て循環方式をとり、１切捨てないタイプの小型高出力安定型多角型増幅モーター。
風力発電に本発明の上記増幅モーターを搭載した場合、羽形状で異なるが風速８ｍ／秒以下に於いては、センサークラッチの作動で上軸を羽根車と共に約４０ＲＰＭで回し、ローター（ゼネレーター設定）回転が約１２００ＲＰＭのため計画発電値を得る。風速８ｍ／秒以上の風の時は、風の息つき現象が大でも、羽根車底部のフライホイルのため、脈動に似た働きは減少され、台風時に於いても回転数はサチレイトするので、インターナルギヤーの回転数は、４０〜７０ＲＭ止まりとなり、発電出力は少し上昇する。台風時に於いても羽根車の回転を止めることなく回し、安全を保ちながら、発電上昇をする構成のため、台風ボーナスタイプの増幅モーター搭載風力発電装置。
【請求項２】
０．５ｍ／秒以下のゆっくり流れる水の水力をボート型の水上ブイ両側の先端部集水ノズル、又は、板などの後に、長寸のキャタビラー型水車２基を設け、その回転力を中央に集め、そのエネルギーを増速ギヤーで速い回転にした軸にポンプを設け、３〜５０ｋｇ／ｃｍ２に増圧し、水タンク（α）に大量に貯え、圧水を２３°傾斜ノズルから４５°傾斜２１枚羽水車に３本でぶつけ、インターナルギヤーを１２０〜１８０ＲＰＭで回し、増速ギヤー群で７００〜９００ＲＰＭの回転力を垂直軸ゼネレーター、ローターに伝達し、水上で高出力３００ＫＷＨ以上の発電する。ノズルから羽にぶつけた液体は、タンク（β）に集め、その場ですぐそばのポンプで加圧を繰り返す循環式丸型増幅モーターで防錆タンク内には、増幅力ＵＰ用テフロン微粉、ビーズなどを入れ、ヒトの血液に似たものにした。又、液体噴射タイプの他、圧力流体をシリンダー、ピストン方式、ゴムダイヤフラム方式、及び、金属ベローズ方式などに送り込み、直線運動を回転に変える方式、即ち、αタンクの高圧流体をさらに効率よくシリンダーなどに入れる方式もあり、外周にアーム支点をもつ、「２ヶアームタイプ」〔図４〕「Ｙアームタイプ」〔図４〕。「外周プロペラタイプ」〔図６〕。「ギヤータイプ」〔図６、図８、図１４、図２０〕。「中ローラータイプ」〔図８、図１８、図２０、図２１〕などが有効。何れも３００ＫＷＨ以上の高出力。トルク値３０ｔｏｎ−ｃｍを得る。多角型増幅モーター付水上水力発電装置。ブイの内部昇温防止機を設け、舟ブイ材発泡スチロール、ウレタンスポンジ等、プラスチック溶解防止策をとり、安全を計ると共に生まれた電気は高効率の水中送電式をとる。
【請求項３】
風力発電に搭載する増幅モーターに於いて、気体又は、液体を用い、シリンダー多数本の内、主シリンダー１／２本を外周向きに設け、カム及び、支点距離の異なるアームの力を用い、１ヶのローラーに多数のシリンダーなどの力プラス２倍のトルク値を得る請求工１の多角増幅モーター。
【請求項４】
風力発電に搭載する増幅モーターに於いて、気体又は、流体に用い、３ヶのＹ型アームの支点をＹの下部遠くに大きく偏芯して離し、多本のシリンダーでトルク値を２倍近く上昇できる多角型増幅モーター。
【請求項５】
風力及び、水力発電に搭載する増幅モーターに於いて、気体、液体の双方を流体に用い、多数のシリンダーと、同時にプロペラを回し、速度を上げインターナルギヤーを円滑回転する多本シリンダー多角型増幅モーター。
【請求項６】
風力発電その他エンジンに搭載するモーターに於いて、液体を流体に用い、インターナルギヤーの内側に増速ギヤーと２段重ねでギヤーを回し、ピストンにギヤー用丸ラックを接合し、ギヤー内にワンウエイクラッチベアリングを装着した円滑回転用高トルク値多本シリンダー、多数ヶギヤータイプの多角型増幅モーター。
【請求項７】
上記と同じ増速ギヤーをラック付山型アームで更に長いラックによる安定高回転高トルク値多本シリンダータイプ多角型増幅モーター。
【請求項８】
風力発電に於いて、空気と磁力を使って円回転でなく反転回転シリンダー内部の磁力誘導型増幅モーターで直線と円半分の２種で低トルク高速回転用のタイプ〔図９、図１０〕半回転タイプは、チューブエヤーにローラを回し空気をしぼりだす増幅モーター。
【請求項９】
風力発電に於いて、液体を使って、丸パイプＲ形状のシリンダー、中に入れるピストンもＲ形状にし、ワンウエイベアリングを組み入れたプロペラ付４山アームをピストンヘッドで押し回転運動する４ヶシリンダー４角型増幅モーター。シリンダー内には、ダイフラム又は、ゴムベローを装着し、ピストンの戻しは、バキューム方式とし、同時多数本シリンダー作動式。多角型でプロペラタイプも可。
【請求項１０】
風力発電において、気体を使い、６ヶゴムの象の鼻付ブーツの内側を３山〜６山のカムで、ブーツをへこませ象の鼻の丸まり状をぴんと伸ばし、当て板に接触させ回転運動を得る簡単構成の６角型増幅モーター。トルク値は、低いため小出力向き。
【請求項１１】
風力発電に於いて、気液体を使うことなく、磁力と入力小モーターの力で回転運動するもの。上部にＳを下向き磁石多数ヶを円板又は、インターナルギヤーの下面に接合し、上下動作できるアームにＳを上向きに等配磁石を接合し、さらに磁石ローラー付等配アームを６０〜１８０ＲＰＭで回す。磁石多角型増幅モーター。磁石は、下の磁石付アームの動作で、吸着寸前で離され、次の磁石の吸着運動を回転に変えたもの。磁石の吸着力の強いものは高価であるがトルクより得られず、極小型風力発電に向く。
【請求項１２】
風力発電、その他の駆動機構に於いて、低圧液気体を使い、中央のローラープロペラへの追随性を向上した首振りタイプでゴム、金属ベロー、ピストンヘッド角１５°のシリンダー方式は、シリンダー数を多本にし、中央ローラー羽多枚にした多角型増幅モーターは、非常に回転が良好である。シリンダー向きが外側に対し、トルク値は小さい。
【請求項１３】
風力、水力発電及び、その他の駆動機械の重量受垂直軸の中間に約φ１〜φ３のガラスボールを入れ、更にその上下にφ３高さ３の硬質ネオジウム磁石のＮとＮ中央ではさむように入れ、ボールに磁性ペーストを多く塗ると多角型増幅モーターの増幅率を増大できる構成を特長とした請求項１の増幅モーター。
【手続補正２】
【補正対象書類名】明細書
【補正対象項目名】全文
【補正方法】変更
【補正の内容】
【発明の詳細な説明】
【技術分野】
【０００１】  本発明は、別置きの低圧電源（１２ボルト等）バッテリーから小容量（１５ワット程度）の電気モーターを回し、入力とした装置に気体、液体などの圧縮流体を造る機構、カム軸を回す機構、及びシリンダーなどの直線を回転に変える機構を加え、更に磁力もプラスし、大容量の回転力に増幅するモーターに関するもので、風のない時の風力発電を助け、水の流れのゆるい時の水力発電を助け、及び、船、航空機などのエンジンの助けなどにも使える。
【背景技術】
【０００２】  従来の風力発電は、風のない時は止まり、水力発電は、水の流れが少しになると発電しないものが殆どであった。又、船などは、石油がなくなると動かない。超小入力電気モーターで、長時間かけてタンクに貯めた圧流体を少しずつ循環する中間に大きな力を得ることのできる機械装置を設備し、圧流体力、磁力及び、自然力などの総合力で５０〜３０，０００倍の増幅力を得る。
【発明の開示】
【発明が解決しようとする課題】
【０００３】  以上に述べた従来の風力発電装置を日本の都心部に設置した場合、計画出力の約１０％、海浜地区の岬などで約３５％の発電力より出ない。又、落差水力発電とは別の下水路、放水路、海、及び、小川など緩やかな流れ水利用の水力発電は、研究されてきたが、実用化は不可能であった。【０００４】  本発明は、このような従来の構成が有していた問題を解決しようとするもので、風力発電については、近年、地球温暖化の影響で風力が増大傾向であっても、数年後、世界各国の対策の進展により、弱風化することが予想され、風力発電の出力低下が心配になることも含め、
１）  風力発電は、風がある時は風力で発電し、風のない時は増幅モーターの回転力で１日２４時間発電する。
２）  水力発電は、下水路など、ゆっくりのんびり流れる水上で大出力発電可能で、水の流れる時間内発電する。
３）  船、航空機などは、石油無しでも動くモーターを造る。
など、非永久運動のモーターを発明する。
【課題を解決するための手段】
【０００５】  従来、種々の駆動技術の発明が生まれたが、本発明は、圧流体に気体のみ、液体のみ、気体＋液体の３種を用途別に使い分ける他、気・液体の材質も使い分け、シリンダー、ドーナツ風船など、直線運動を回転に変えたり、回転運動を出力向上回転運動の他、磁石磁力を加え、更に地球上の自然エネルギーをプラスし、使用済み流体は、捨てないで、循環使用できる構成にするの他、機械室内は、低圧気体保持のため、長耐久性となった。【０００６】  発電は、自家発電が最も効率が高く、３０％近い送電ロスをなくす。従って、原発、火力発電のような集中型発電方式ではなく、分散型方式を進め、小型垂直軸タイプの何処にでも手軽に置いて、卓越した性能、低コスト、更に美的センスの形を目指すものである。【０００７】  水力発電では、ブイの両側にキャタピラ式水車を設け、その回転力を圧液体を得る力に変え、この液体循環力でシリンダー、他の回転力源とする。【０００８】  発電以外の用途として船などには、この増幅モーターに速度変換機構の他、制御装置を搭載する。【０００９】  本発明の、増幅モーターの心臓部であるポンプ、及び流体の流れ構成は、ヒトの心臓、血液の流れなどと大略同一とし、８０年以上の耐久性を保つことのできる内容とする手段をとる。
【発明の効果】
【００１０】  図１、図２の左半分は、３角型６本シリンダータイプを示す。装置外別置き１２ボルトバッテリーに接続の電線（１２）スイッチをＯＮにすると気体ポンプ付のモーター１５Ｗ（３）が回り、約３時間かけて流体ゴムタンク（α）に２ｋｇ／ｃｍ２の定圧流体が貯え、クラッチで上軸（１）を回し、４０ＲＰＭでカム（９）の回転と同回転でロータリーバルブ（４）とメカニカルバルブ（８）を作動し、主シリンダー（１０）１本が順次動き、副シリンダー（１１）も２本ずつ動き、中央のローラー（６）と突いて上軸を上記４０ＲＰＭで回す。シリンダーの排気は、ロータリーバルブ経由、逆止弁、流量弁経由してタンクβに入り（βの圧力０．５〜１．０ｋｇ／ｃｍ２）後にポンプ増圧弁で２ｋｇ／ｃｍ２になったものをタンクαに戻され、圧力調整弁経由、再びロータリーバルブへ向かう循環をするが、βの中から機械室内へ安全弁で放出するためメカニカルシール（２）の内部は、約０．２〜０．３ｋｇ／ｃｍ２を保持する。本タイプの増幅モーターは、極小型低トルク用であり、ピストン芯が軸芯と同一でローラー（６）の芯間距離も小さくしたものでシリンダー内径φ５０、ローラー芯まで２０の場合のトルク値＝約３００ｋｇ−ｃｍを得る。更に増速用インターナルギヤー（１３）を重くし、ゼネレーターローターにもフライホイルを追加し、継続安定性の増大トルク値が確保できるので入力モーター力の５０倍以上の増幅モーターとなる。【００１１】  図１、図２の右半分は、５角型増幅モーターの略図であり、シリンダー数５本＋５本の１０本、中央ローラー３ヶでトルク値５００ｋｇ−ｃｍを得る。又、ローラー、ギヤー等の接触部防音と耐久性向上のため、金属とゴム、プラスティックなどの組合せ使用し、軸その他部品の重量受部には、磁気ボール等を磁気シリコンペーストを入れ、調整（浮上性）可能にし、スラストボールベアリング、及び、浮上用磁石などの使用をやめた。【００１２】  図３、図４の左半分は、流体に気体と液体の双方を同時使用する増幅モーターをシリンダー６本の外向き配置で高出力を得るタイプを示す。
気体ポンプ兼上軸回転用モーターでαタンクに２ｋｇ−／ｃｍ２の気体を貯え、カム（９）でαタンクの内腹を押し、出てくる気体を渦巻ゴムチューブ（１５）内のボール２個に当て、α‘タンクと連動させ、中の液体を３本のシリンダーに同時に移動し、ピストン（１６）力をアーム（Ａ）を介して、インターナルギヤーに固定のローラー（１８）にあて力強い回転を得るタイプ。シリンダーから排出されたエアー等の気体は２ヶ所のタンクβ、β’に戻るが、液体はα‘に戻る。本タイプは、入力モーターの増幅倍２５００以上が確保できるため小型で大出力を得、チューブ材質にシリコンゴム、ウレタンゴム等を使い、液体にシリコンオイル等の油にテフロン粒子、粉末等を入れ、血液のような材質にし、８０年寿命品目とした。【００１３】  図３、図４の右半分は、上記と同じ方式の圧流体を外周近くの固定した６本のシリンダーに順次送り込む方法で、ピストンヘッド（１４）は、Ｙ型アーム（２０）に適した形にし、このアームは、とめ軸を軸芯から偏芯していて回るタイプのため、大トルク値を得る。気体⇒液体⇒シリンダー方式は、上記左半分と同一で、チューブ内図を〔図２２〕に説明。【００１４】  図５、図６の左半分は、６本のシリンダー（５）を傾斜取付し、ピストン（１６）でアーム（Ａ）を押し、アーム軸を介してプロペラ（２２）を回し、インターナルギヤー（１３）を回す方式で、ピストン速度の変動を４枚羽プロペラで安定回転を保持する。プロペラと接触するローラー（１８）は、耐久性向上と防音のため、ウレタンゴム材質とする。又、プロペラ軸には、ワンウエイクラッチ（２４）を設ける。【００１５】  図５、図６の右半分は、６本シリンダー（５）のピストンに、ギヤー丸ラック（２３）を固定し、インターナルギヤー（１３）の内側の増速ギヤー（２５）と同軸ワンウエイクラッチ付小ギヤーを回す方式。３本ピストンを交互に出し、円滑運動でインターナルギヤーの回転数を８０ＲＰＭにし、更にトルク値上げる。【００１６】  図７、図８の左半分は、６本シリンダー（５）を図５、図６の右半分と同じく傾斜固定し、ピストン（１６）で、Ｒ型ギヤーラック付山型アーム（１９）を押し、増速ギヤーを介し、インターナルギヤーを回す方式。ラック長さが、図６よりも長くなるため、回転の円滑化向上と８０ＲＰＭ以上が得られる。【００１７】  図７、図８の右半分は、外周向き６本のシリンダー（５）のピストン（１６）を外向きに出し、鎌型アーム（２７）の動作をインターナルギヤー（１３）の外周近くのローラー（１８）に当て、回転を与えるもので高速回転用途に適す。【００１８】  図９、図１０の右半分は、上部にゴムタンク（α）２ｋｇ／ｃｍ２保有気体タンクをもち、下部に１．５ｋｇ／ｃｍ２の気体タンク（β）を備え、１２Ｖ１５Ｗモーターでメインドライブシフト上軸（１）を回し、クラッチギヤー（２８）及び、アームクラッチ付円板上（２９）を回し、ゴムチューブ付円板を動かし（３８）気体絞込みローラーを作動し、チューブ両端に生まれる圧縮気体をダイヤフラムシリンダー、逆止弁、流量調節弁、圧力調節弁などを経由してαタンクに送る一方、シリンダー（５）にメカニカルバルブ（８）を経由して送る。回転を半回転にかえるクラッチアーム（３９）は、直線孔で回転をかえる。そしてタンクβには、排気を貯え、定圧でαに送る。本方式は、丸チューブのしぼり込みが円滑のため、回転数をあげることが容易になるため、増速ギヤーが５０％減少となる。【００１９】  図９、図１０の左半分は、上記の丸チューブしぼりを直線運動の中磁石（３５）入りシリンダー（３３）にし、スライドマグネット作動用内カム溝入板（３４）の外周の１部分に設けたローラー磁石（３６）でスライドシリンダーを往復運動に導き、圧力エアーを左右２ヶのベローチャンバー（３２）経由、シリンダーに移し回転運動にする。【００２０】  図１１、図１２の右半分は、圧力１．５ｋｇ／ｃｍ２の液体タンク（α）から、ロータリーバルブ経由３本ノズル（４０）の１本ずつ順次取出したものを２３°角度羽車（４１）に勢いよく吹きつけ、回転運動を得るもので、廃液はその場で、ポンプで（４２）β経由αタンクに戻し、循環する液は、血液のようなものを使用する。８０〜１００ＲＰＭのインターナルギヤー（１３）上には、遠心力利用の大量の重量物を設け、円滑回転を得る。【００２１】  図１１、図１２の右半分は、インターナルギヤーの外周のアーム（Ａ）で、３角ローラーを押し回すがその前に転換アーム（４３）で、アーム押さえ（４４）を上下作動させ、ゴムドーナツ（４５）の反発で一連の作動と回転を得るが、３角ローラー（６４）の慣性動作のため、インターナルギヤー（１３）の遠心力増加が必要で倍率は４０以下。【００２２】  図１３、図１４の左半分は、インターナルギヤー（１３）の上部に回転板を設け、ゴムブーツシリンダー（４６）の内腹をカムで外向きに押し、Ｒピストン（５１）の力をアームローターに当てインターナルギヤーを回す方法で慣性により不安定性を補うもの。【００２３】  図１３、図１４の右半分は、インターナルギヤー（１３）の内に設けた３ヶのギヤーセットを６本のシリンダーにギヤー用丸ラック（２３）を取付け、２本の力を１セットギヤーに集中した。上記図６右半分のタイプに対し、コスト低下タイプ。【００２４】  図１５、図１６の左半分は、シリンダーピストンの代替のぞうの鼻に似たゴムピストン（５３）を６ヶの中央内周部に、カム３山を同時にもぐりこませ、丸型に縮んでいたチューブの先端までエヤーを送り込むことで鼻が伸び、インターナルギヤーを回す。本方式は、金属ピストンの上記方式に対し、トルク値は小さい。【００２５】  図１５、図１６右半分は、インターナルギヤー（１３）の下に上磁石（４７）を１８ヶＳを下に固定し、更にその下にＳを上向きに６ヶ磁石付アーム（４８）を、バネ付アーム（４９）に連結し、磁石ローラー付７等配カム（５５）を回すと、多数の磁石の力で電気入力１２Ｖ、３０Ｗギヤー付モーターで、３０倍増幅モーターとなる。フエライト磁石よりも強いネオジウム磁石を使うとコスト高になるが、６０倍以上となり、円滑な回転力を得る。【００２６】  図１７、図１８左半分は、８〜９等配ベローズシリンダー（５７）をシリンダー首振りボルト（２１）でとめ、４ヶのクラッチ板付ローラー（５９）に順次当てながら、インターナルギヤー（１３）の回転を得るもので、ピストンヘッド（１４）の戻りタイミングにずれができても円滑な運��ができるタイプ。【００２７】  図１７、図１８右半分は、外周のＲギヤー（２６）でプロペラ付ギヤー（６１）を回し、プロペラ付ギヤーローラー（２４）で、インターナルギヤー（１３）を回し、Ｒ型ギヤーの位置離れ防止にＲギヤーガイドロール（６０）を設けたもの、プロペラ付ギヤーローラー中にワンウエイクラッチベアリングを入れプロペラの円滑回転でインターナルギヤーがスムースに回り入力モーター増幅倍数は約１００倍以上。【００２８】  図１９、図２０左半分は、軸芯近くにギヤー（２５）３等配し、増速ギヤーを３ヶ同芯に入れ、中心のギヤーの回転運動をインターナルギヤー（１３）に回転板（６２）で伝達し高速の回転数を得る。（１２０ＲＰＭ）シリンダー６本で３ヶのギヤー中央にワンウエイクラッチベアリングを入れ、ピストン先は、ギヤー用丸ラック（２３）を装備。【００２９】  図１９、図２０右半分は、６ヶのシリンダー（５）を傾途角度大に取付け、ローラー（６）芯間寸法を大きくし、３ヶのローラーに同時２本のシリンダーの力を順次与えながら回転力を向上するタイプ。ピストンヘッド（１４）の先端傾斜角度を１５°にし、ローラーを移動させる長さを大にしたタイプで小型小出力用。【００３０】  図２１左半分は、シリンダー数６本、中央部ローラー２ヶのタイプで上記タイプと異なる点は、シリンダーピストンの内側にバネ（５４）くぉいれたもので、ピストンヘッドの戻りを円滑にしたもの。
右半分は、６本のシリンダー全部を首振りシリンダーにし、シリンダー首振りボルト（２１）を設け、中央部のに３ヶの羽を設け、軸芯から離れた位置で回転力を生む構成とした。羽付きローラー（６３）は、ピストンヘッドの戻り時、傾斜し増幅倍率は左半分より高く約６０倍以上。【００３１】  図２２は、気体を圧液体に変換する渦巻チューブを示すもので、左側からきた圧気体をテフロンボール（１７）２ヶで受け止め右へ移動しながらシリンダーなどに送り込む圧液体を造るものでチューブに軟質ウレタンゴム、そして液体にシリコンオイルプラステフロン粒入りを、又気体には空気を使っている。【００３２】  図２３、図２４、図２５、図２６は、上記増幅モーターのポンプとして搭載した、代表的なものを示す。前者は、モノピボット遠心ポンプ、後者は、気体用ベローポンプなど。双方共使用済流体の再使用に適す。【００３３】  図２７は、風力発電の垂直軸型のゼネレーターの上部に上記増幅モーターを搭載し、風速８ｍ／秒以下の風のときは、本発明のモーターで４０〜６０ＲＰＭで羽根車を回し発電し、風速８ｍ／秒以上では、風力で羽根車を６０〜８０ＲＰＭで回し発電するため、１日２４時間とまることなく自家発電する。大きさを変え１．２ＫＷｈ〜５００ＫＷｈが小スペースのベランダの外側設置用に外径φ４００から、５００ＫＷ屋根上置き用外径φ１２００迄で、美形でしかも低コスト発電である。又、他の風力発電に対し、最高の利点は、安定、安全発電方式。【００３４】  図２８は、水上で３００ＫＷの電気を造り、夜の電気で水上水素製造する舟ブイを示す。ゆっくり流れる水の力を両側のキャタピラー式水車に受けた回転力を圧液体にし、圧力をシリンダー等で高出力の上記増幅を得、ゼネレーターで大電力をブイの中で生む。巾約１．５ｍ、長さ約３ｍの発泡プラスティックブイの中に、全てを搭載し、発電した電気を水中で運び、地上で使う。下水路、放水路、小川及び、海など水の流れのある場所で、美形でしかも安い電気を得ることができる。【００３５】  以上、本発明の効果についてタイプ別の説明をしたが、全体を総括すると
１）  従来永久運動を含む駆動技術の開発が種々行われてきたが、環境に負荷がかかる技術が殆どであった。そこで、排気公害などが発生しない方法で、原子力、火力発電などの代替になり得るエネルギー製造機を発明し、発電のみに留まらず、この増幅モーターを乗物などに使用できるものとして、その効果を発揮する。
２）  圧流体を取入れるシリンダー、ドーナツ及び、ダイヤフラムタンクなど大容量にできる簡単構造のため入力モーターの数万倍にもなるものを安くできるので、国の経済発展の基となる効果もある。
３）  遠心力によるフライホイルの安定継続性、磁石の磁力による低トルク確保によるロスの削減、ピストン運動をロータリー運動に替えるアーム支点とカムの関係による出力安定増幅力の効果。
４）  本発明の増幅モーターの構成基本技術は７０％が、ヒトの心臓、血液の流れ、及び、心臓周辺機器を基にしたものであり、８０年位は使える可能性に挑戦する。
【図面の簡単な説明】
【００３６】
【図１】本発明の６角型増幅モーターでカム、クビ振りアーム、アーム付きタイプ正面半断面。
【図２】同モーターのＤ−Ｄ’矢視、Ｃ−Ｃ’矢視平面図。
【図３】本発明の外向きシリンダー、アーム１２ヶ付タイプ正面半断面図及び、横向きシリンダー、Ｙ型アーム偏芯支点３ヶ付タイプ正面半断面図。
【図４】上記モーターの平面図
【図５】本発明の外向きシリンダー６ヶ、ピストン６ヶにプロペラ付アームタイプ正面半断面図及び、横向きシリンダー６ヶピストンヘッドにラック付増幅ギヤー６ヶタイプ正面半断面図。
【図６】上記モーターの平面図
【図７】本発明の横向きシリンダー６ヶにＲ形ラック付山型アーム６ヶで増速ギヤー回しタイプ正面半断面図及び、外向きシリンダー６ヶに鎌型アーム付タイプ正面半断面図。
【図８】上記モーターの平面図
【図９】本発明の内カム、半転運動を直線リニヤーレイルの直線長尺シリンダーの往復運動に変え圧気体をダイヤフラムシリンダー２ヶで受け、６本のシリンダーにカムで分配し、回転運動を得る磁石付タイプ正面半断面図及び、ゴムチューブの腹を半転運動で押すローラー付タイプ正面半断面図。
【図１０】上記モーターの平面図
【図１１】本発明の３本の液体ノズル２３°傾斜から２０枚羽付きの車に吹きつけ、液体循環タイプの圧流体モーターの正面半断面図及び、３角型ローラー付アームタイプ正面半断面図。
【図１２】上記モーターの平面図。
【図１３】本発明の４本Ｒ型シリンダー、ピストンで４角アームを押しＲ運動を回転にするタイプ正面半断面図及び、外側３ヶの増速ギヤーを６本の横向きシリンダー丸ラックピストン作動タイプの正面半断面図。
【図１４】上記モーターの平面図
【図１５】本発明の象の鼻付ゴムブーツ６ヶの腹をカムで押し、丸められた鼻を直線にする動作を回転にするタイプ正面半断面図及び、２０ヶの丸上磁石を、７ヶのアーム磁石及び、７角の中アームタイプ正面半断面図。
【図１６】上記モーターの平面図。
【図１７】本発明の中向き首振りベローズ型シリンダー８ヶを、中央の４枚羽つきローラータイプの正面半断面図及び、外周６ヶのＲ付ラックで４枚プロペラを回すタイプの正面半断面図。
【図１８】上記平面図。
【図１９】本発明の中向きシリンダー６ヶのピストンヘッドに丸ラックを設け、増速ギヤー経由中心上軸回しタイプ正面半断面図及び、傾斜スピンヘッド６ヶで２ヶの中央ローラーを回すタイプ正面半断面図。
【図２０】上記モーターの平面図。
【図２１】本発明のシリンダー６本のピストン内側にバネを設け、ピストン戻りを早くし、中央ローラー２ヶで回すタイプ平面半分図及び、首振りシリンダー６ヶで中央３ヶの羽車ローラーを回すタイプ平面半分図。
【図２２】本発明の増幅モーターに於いて、圧気体を圧液体に交換する場合に流量、圧力調整後の気体を左から入れ、圧液にする変換平面図。
【図２３】本発明の増幅モーターの圧流体製造ポンプの中で特に液体用に適するモビット型ポンプの平面図。
【図２４】上記ポンプの正面図。
【図２５】本発明の増幅モーターのポンプの中で、特に圧気体製造に適するベローポンプの正面図。
【図２６】上記ポンプの平面図
【図２７】本発明の多角型増幅モーター搭載に適した小スペース、大出力安定発電タイプの風力発電。
【図２８】本発明の多角型増幅モーター搭載に最適の、ゆっくりした水の流れの水上で２４時間／日発電の下水路、放水路、その他に浮かべる小型大出力水力発電の側面図。
【産業上の利用可能性】
【００３７】上記の通り本発明多角型増幅モーターは、▲１▼風のない場所での風力発電▲２▼ゆっくり流れる水上での水力発電に使用でき送電電柱、送電線、送電信号、表示灯線が不要で送電ロス３０％がなくなる。【００３８】  １）地上の乗物エンジン、電線不要の電車。
２）水上の船などのエンジン。
３）空上のヘリコプターなどの産業にも利用できる。
【符号の説明】
【００３９】  Ａ：アーム                          Ｃ：カム
α：流体タンク                      β：流体タンク
１：上軸                            ２：メカニカルシール
３：１２Ｖモーター付ポンプ          ４：ロータリーバルブ
５：シリンダー                      ６：ローラー
７：増速ギヤー群                    ８：メカニカルバルブ
９：ワンウエイクラッチベアリング  １０：主シリンダー
１１：副シリンダー                  １２：電線
１３：インターナルギヤー            １４：ピストンヘッド
１５：渦巻チューブ                  １６：ローラー付ピストン
１７：ボール                        １８：アームローラー
１９：ラック付山型アーム            ２０：Ｙ型アーム
２１：シリンダー首振りボルト        ２２：プロペラ
２３：ギヤー用丸ラック              ２４：ギヤーローラー
２５：ギヤー                        ２６：Ｒ型ギヤー
２７：鎌型アーム                    ２８：クラッチギヤー
２９：アームクラッチ付円板上        ３０：クラッチギヤー振れ止ギヤー
３１：ギヤー                        ３２：ベローズチャンバー
３３：磁石入りシリンダー            ３４：内カム溝入板
３５：中磁石                        ３６：ローラー磁石
３７：スライドガイド                ３８：チューブ押しローラー
３９：特殊アーム                    ４０：ノズル
４１：水車羽                        ４２：液体ポンプ
４３：転換アーム                    ４４：アーム押さえ
４５：ゴムドーナツ                  ４６：ゴムブーツシリンダー
４７：上磁石                        ４８：磁石付アーム
４９：バネ付アーム                  ５０：Ｒシリンダー
５１：Ｒピストン                    ５２：ワンウェイベヤ入アームローター
５３：象の鼻ピストン                ５４：バネ入りピストン
５５：磁石ローラー付カムアーム      ５６：液体ポンプインペラー
５７：金属ベローズシリンダー        ５８：磁石軸受
５９：クラッチ板付ローラー          ６０：Ｒギヤーガイドロール
６１：プロペラ付ギヤー              ６２：回転版
６３：下軸                          ６４：３角ローラー
【手続補正３】
【補正対象書類名】図面
【補正対象項目名】全図
【補正方法】変更
【補正の内容】
【図１】
2009167798.tif 000015
【図２】
2009167798.tif 000016
【図３】
2009167798.tif 000017
【図４】
2009167798.tif 000018
【図５】
2009167798.tif 000019
【図６】
2009167798.tif 000020
【図７】
2009167798.tif 000021
【図８】
2009167798.tif 000022
【図９】
2009167798.tif 000023
【図１０】
2009167798.tif 000024
【図１１】
2009167798.tif 000025
【図１２】
2009167798.tif 000026
【図１３】
2009167798.tif 000027
【図１４】
2009167798.tif 000028
【図１６】
2009167798.tif 000029
【図１７】
2009167798.tif 000030
【図１８】
2009167798.tif 000031
【図１９】
2009167798.tif 000032
【図２０】
2009167798.tif 000033
【図２１】
2009167798.tif 000034
【図２２】
2009167798.tif 000035
【図２３】
2009167798.tif 000036
【図２４】
2009167798.tif 000037
【図２５】
2009167798.tif 000038
【図２６】
2009167798.tif 000039
【図２７】
2009167798.tif 000040
【図２８】
2009167798.tif 000041